(57)【特許請求の範囲】
【請求項１】
給湯装置と該給湯装置以外の被操作装置である暖房機とを遠隔操作する給湯リモコンであって、
表示部と、
使用者による操作を受付ける操作受付部と、
前記表示部の表示内容を制御する表示制御部と、
前記操作受付部に対する使用者の操作に応じて、前記給湯装置を遠隔操作するための給湯装置用画面又は前記被操作装置を遠隔操作するための被操作装置用画面を、前記表示制御部が前記表示部に表示する初期画面として設定する初期画面設定部とを備え、
前記表示制御部は、前記被操作装置用画面において、時刻情報と前記給湯装置からの給湯温度とを該被操作装置用画面の上部と下部とに離隔させて表示すると共に、該被操作装置用画面の上部と下部との間に前記被操作装置の情報を表示することを特徴とする給湯リモコン。
【発明の詳細な説明】
【技術分野】
【０００１】
本発明は、給湯装置及び給湯装置以外の被操作装置を遠隔操作する給湯リモコンに関する。
【背景技術】
【０００２】
従来、給湯装置を遠隔操作するリモコン（給湯リモコン）において、表示部の画面構成を、使用者の選択操作に応じて、予め用意された複数の異なるパターンのいずれかに切り替えられるようにした構成が提案されている（例えば、特許文献１参照）。
【０００３】
特許文献１に記載された給湯リモコンによれば、使用者は、給湯温度、時刻、風呂温度、風呂湯量等の情報のうち、希望する情報のみを表示する操作用画面を選択して表示部に表示させることができる。
【先行技術文献】
【特許文献】
【０００４】
【特許文献１】特許第３６４２５０５号公報
【発明の概要】
【発明が解決しようとする課題】
【０００５】
例えば、温水暖房端末（床暖房機、温水浴室暖房機等）に温水を循環供給する機能を有する複合型の給湯装置を遠隔操作する給湯リモコンにおいては、給湯運転についての操作に加えて、温水暖房端末についての操作も可能とすることが考えられる。
【０００６】
そして、このように、給湯リモコンによって、給湯装置についての操作に加えて、温水暖房端末のような他の被操作装置についての操作も可能とする場合にも、特許文献１に記載された給湯リモコンのように、使用者の好みに応じた操作用画面を表示させて、使用者の使い勝手を向上させることが望ましい。
【０００７】
本発明はかかる背景に鑑みてなされたものであり、給湯装置と給湯装置以外の被操作装置とを遠隔操作する給湯リモコンにおいて、使用者による使い勝手を向上させることを目的とする。
【課題を解決するための手段】
【０００８】
本発明の給湯リモコンは、
給湯装置と該給湯装置以外の被操作装置である暖房機とを遠隔操作する給湯リモコンであって、
表示部と、
使用者による操作を受付ける操作受付部と、
前記表示部の表示内容を制御する表示制御部と、
前記操作受付部に対する使用者の操作に応じて、前記給湯装置を遠隔操作するための給湯装置用画面又は前記被操作装置を遠隔操作するための被操作装置用画面を、前記表示制御部が前記表示部に表示する初期画面として設定する初期画面設定部とを備え、
前記表示制御部は、前記被操作装置用画面において、時刻情報と前記給湯装置からの給湯温度とを該被操作装置用画面の上部と下部とに離隔させて表示すると共に、該被操作装置用画面の上部と下部との間に前記被操作装置の情報を表示することを特徴とする。
【０００９】
かかる本発明によれば、前記給湯リモコンの使用者は、前記被操作装置用画面を前記表示部に表示させて被操作装置を遠隔操作する機会が多いが、前記給湯装置用画面を前記表示部に表示させて前記給湯装置の運転条件（給湯温度等）の変更等の遠隔操作をする機会が少ない場合に、前記被操作装置用画面を、前記表示制御部が前記表示部に表示する初
期画面として設定することができる。
【００１０】
このように、前記被操作装置用画面を、前記表示制御部が前記表示部に表示する初期画面として設定することにより、使用者が前記給湯リモコンの操作を開始したときに、前記表示部に前記被操作装置用画面が表示される状態となる。そのため、使用者は、初期画面が前記給湯装置用画面に固定されている場合に必要となる、前記表示部の表示画面を前記給湯装置用画面から前記被操作装置用画面に切り換える操作を行うことなく、直ちに前記被操作装置を遠隔操作することができ、これにより、使用者の使い勝手を向上させることができる。
【００１１】
ここで、前記表示部の初期画面とは、前記表示部が非表示状態から表示状態に切り替わったときに、前記表示制御部により前記表示部に最初に表示される画面を意味する。
【００１２】
また、前記表示制御部は、前記被操作装置用画面において、時刻情報と前記給湯装置からの給湯温度とを該被操作装置用画面の上部と下部とに離隔させて表示すると共に、該被操作装置用画面の上部と下部との間に前記被操作装置の情報を表示する。
【００１３】
この構成によれば、前記表示部に前記被操作装置用画面が表示されている状態であっても、使用者は前記表示部の表示から前記給湯装置からの給湯温度を確認することができる。そのため、使用者が、給湯温度が高温に設定されていることに気付かずに湯を使用して、湯の熱さにより不快感を抱くことを防止することができる。
【図面の簡単な説明】
【００１４】
【図１】給湯リモコンの使用態様の説明図。
【図２】給湯リモコンの構成図。
【図３】操作用画面の切り替え処理のフローチャート。
【図４】操作用画面の遷移を示した説明図。
【図５】第１床暖房機の操作用画面の説明図。
【図６】初期画面を設定する際の操作用画面の説明図。
【発明を実施するための形態】
【００１５】
本発明の実施形態の一例について、図１〜図６を参照して説明する。図１を参照して、本実施形態の給湯リモコン１は、台所やリビング等に設置されてリモコンケーブル９を介して給湯装置２に接続されており、給湯装置２との間で通信を行って給湯装置２を遠隔操作する。
【００１６】
給湯装置２は、通信ケーブル８ａ〜８ｄを介して第１床暖房機４、第２床暖房機５、第３床暖房機６、及び浴室暖房機７（温風暖房機）にそれぞれ接続されており、給湯リモコン１は、給湯装置２及び通信ケーブル８ａ〜８ｄを介して第１床暖房機４、第２床暖房機５、第３床暖房機６、及び浴室暖房機７との間で通信を行って、第１床暖房機４、第２床暖房機５、第３床暖房機６、及び浴室暖房機７を遠隔操作する。
【００１７】
本実施形態では、給湯リモコン１の他に、浴室に設置された浴室リモコン３がリモコンケーブル９を介して給湯装置２に接続されている。
【００１８】
第１床暖房機４、第２床暖房機５、第３床暖房機６、及び浴室暖房機７は温水暖房端末であり、給湯装置２から、図示しない温水循環路を介して温水が循環供給されて、温水からの放熱によって暖房が行われる。第１床暖房機４、第２床暖房機５、第３床暖房機６、及び浴室暖房機７は、本発明の被操作装置に相当する。なお、本発明の被操作装置は、温水暖房端末に限られず、電気を熱源とする空気調和機やヒータ等であってもよい。
【００１９】
次に、図２を参照して、給湯リモコン１は、給湯装置２の運転状態等が表示される表示部２０（例えば、液晶表示器を用いて構成される）、給湯装置２の運転状態（給湯が可能な状態）と待機状態（給湯が不能な状態）との切り替え指示を受付けるための運転スイッチ３１、浴槽（図示しない）への湯張りの指示を受付けるための自動スイッチ３２、浴槽内の湯の加熱の指示を受付けるための追焚きスイッチ３３、及び浴室リモコン３との間でのインターホン通話を可能にするための通話スイッチ３４を備えている。
【００２０】
さらに、給湯リモコン１は、使用者による表示部２０の画面切り替えや各種の設定等の指示を受付けるために、メニュースイッチ３５、上スイッチ３６、下スイッチ３７、左スイッチ３８、右スイッチ３９、戻るスイッチ４０、及び決定スイッチ４１を備えている。また、給湯リモコン１は、音声による報知等を行うためにスピーカ４５を備えている。
【００２１】
図２では、表示部２０に、給湯装置２用の操作用画面を選択するための給湯アイコン２１、第１床暖房機４用の操作用画面を選択するための第１床暖房アイコン２２、第２床暖房機５用の操作用画面を選択するための第２床暖房アイコン２３、第３床暖房機６用の操作用画面を選択するための第３床暖房アイコン２４、及び浴室暖房機７用の操作用画面を選択するための浴室暖房アイコン２５と、給湯温度２６等が表示された状態を示している。
【００２２】
給湯リモコン１には、給湯リモコン１の全体的な作動を制御するコントローラ１０が備えられている。コントローラ１０は、ＥＥＰＲＯＭ１４の他に、図示しないＣＰＵ、ＲＯＭ，ＲＡＭ、通信回路、信号入出力回路等を備えて構成され、ＲＯＭに保持された給湯リモコン１用の制御プログラムをＣＰＵにより実行することによって、操作受付部１１、表示制御部１２、及び初期画面設定部１３として機能する。
【００２３】
操作受付部１１は、スイッチ３１〜４１の出力信号を認識して、使用者による各スイッチの操作を受付ける。表示制御部１２は、操作受付部１１により受付けられたスイッチ３１〜４３の操作等に応じて、表示部２０の表示内容を制御する。初期画面設定部１３は、給湯リモコン１が待機状態から運転状態に切り替わって、表示部２０が非表示状態から表示状態になるときに、表示制御部１２が表示部２０に表示する初期画面を、使用者による選択操作に応じて設定する。
【００２４】
表示制御部１２は、図３に示したフローチャートに従って、図４に示したように、表示部２０に表示する操作用画面を切り換える。表示制御部１２は、初期設定状態（工場出荷状態）では、操作受付部１１により運転スイッチ３１の操作が受け付けられて、給湯リモコン１が待機状態から運転状態に切換わったときに、ＳＴＥＰ１で、表示部２０に図４に示した給湯装置用画面５０（給湯装置２の操作用画面）を表示する。
【００２５】
給湯装置用画面５０が表示部２０に表示された状態では、使用者は、上下左右スイッチ３６〜３９、戻るスイッチ４０、及び決定スイッチ４１を操作して、給湯温度等の設定を変更することができる。
【００２６】
続くＳＴＥＰ２で、操作受付部１１により、下スイッチ３７又は上スイッチ３６の操作が受け付けられたときにＳＴＥＰ１０に分岐し、表示制御部１２は、表示部２０の表示を、図４に示した遷移先の画面に切り替える。すなわち、下スイッチ３７の操作に応じて、表示制御部１２は、表示部２０に表示する操作用画面を、給湯装置用画面５０→第１床暖房機用画面５１→第２床暖房機用画面５２→第３床暖房機用画面５３→浴室暖房機用画面５４→… の順に切り替える。
【００２７】
また、表示制御部１２は、上スイッチ３６の操作に応じて、表示部２０に表示する操作用画面を、給湯装置用画面５０→浴室暖房機用画面５４→第３床暖房機用画面５３→第２床暖房機用画面５２→第１床暖房機用画面５１→… の順に切り替える。
【００２８】
なお、第１床暖房機用画面５１、第２床暖房機用画面５２、第３床暖房機用画面５３、及び浴室暖房機用画面５４は、本発明の被操作装置用画面に相当する。
【００２９】
ＳＴＥＰ３で、表示制御部１２は、スイッチ３５〜４１の操作が無い状態で１分経過したか否かを判断する。そして、スイッチ３５〜４１の操作が無い状態で１分が経過したときはＳＴＥＰ４に進み、表示制御部１２は、表示部２０に初期画面（給湯装置用画面５０、又は後述する初期画面設定部１３により設定された操作用画面５１〜５４のうちのいずれか）を表示して、ＳＴＥＰ２に戻る。一方、ＳＴＥＰ３で、スイッチ３５〜４１の操作が無い状態で１分が経過していないときには、ＳＴＥＰ２に戻る。
【００３０】
図４に示したように、給湯装置用画面５０においては、給湯アイコン２１が選択状態（上下矢印及び右矢印が表示された状態）になっており、第１床暖房機用画面５１においては、第１床暖房アイコン２２が選択状態になっている。同様に、第２床暖房機用画面５２においては、第２床暖房アイコン２３が選択状態になっており、第３床暖房機用画面５３においては、第３床暖房アイコン２４が選択状態になっており、浴室暖房機用画面５４においては、浴室暖房アイコン２５が選択状態になっている。
【００３１】
また、表示制御部１２は、第１床暖房機用画面５１、第２床暖房機用画面５２、第３床暖房機用画面５３、及び浴室暖房機用画面５４の下部の箇所５５に、給湯温度を表示している。このように、表示部２０に給湯装置用画面５０が表示されていない場合にも、給湯温度を常時表示することにより、使用者に現時点の給湯温度の設定状況を認識させることができる。そのため、給湯温度が高温に設定されていたときに、この設定を認識していない使用者が湯を使用して、熱さによる不快感を抱くことを防止することができる。
【００３２】
ここで、表示部２０に第１床暖房機用画面５１が表示された状態で、使用者により右スイッチ３９が操作されると、表示制御部１２は、図５Ａに示したように、第１床暖房機４の運転入／切の設定部６５を含んだ画面６０を表示する。使用者は、この状態で、上スイッチ３６又は下スイッチ３７を操作することにより、第１床暖房機４の運転と停止を切り換えることができる。
【００３３】
また、図５Ａの状態で、使用者が右スイッチ３９を操作すると、表示制御部１２は、図５Ｂに示したように、第１床暖房機４の暖房レベルの設定部６６を含む画面６１を表示する。使用者は、この状態で、上スイッチ３６又は下スイッチ３７を操作することにより、暖房レベルを９段階（レベル１〜レベル９）に設定することができる。
【００３４】
同様にして、使用者は、表示部２０に給湯装置用画面５０、第２床暖房機用画面５２、第３床暖房機用画面５３、及び浴室暖房機用画面５４のうちのいずれかが表示された状態において、対応する給湯装置２、第２床暖房機５、第３床暖房機６、及び浴室暖房機７の運転条件等を設定することができる。
【００３５】
コントローラ１０は、このようにして設定された給湯装置２、第１床暖房機４、床暖房機５、床暖房機６、及び浴室暖房機７の運転条件等のデータを、ＥＥＰＲＯＭ１４に保持する。
【００３６】
また、図６に示したように、使用者は、表示制御部１２により表示部２０に表示される初期画面を変更することができる。ここで、初期画面とは、表示部２０が非表示状態から表示状態に切り替わったときに、表示制御部１２により表示部２０に最初に表示される画面である。
【００３７】
本実施形態では、給湯リモコン１が待機状態であるときに、表示制御部１２は、表示部２０を非表示状態（表示部２０が液晶表示器であるときはバックライトを消灯した状態）とし、給湯リモコン１が待機状態から運転状態に切り替わったときに、表示部２０に初期画面を表示する。
【００３８】
また、給湯リモコン１が操作されない状態が所定時間以上継続したときに、表示制御部１２が表示部２０を非表示状態とし、この非表示状態で給湯リモコン１が操作されたときに、表示制御部１２が表示部２０の表示を再開する仕様（省エネ仕様）となっているときには、表示制御部１２は、表示部２０の表示を再開するときに初期画面を表示する。
【００３９】
表示制御部１２は、使用者によるメニュースイッチ３５（図２参照）の操作が、操作受付部１１により受け付けられたときに、表示部２０に、図６に示したメニュー画面７０を表示する。メニュー画面７０には、設定項目を選択するための項目選択部８０と、項目選択部８０により選択されている項目のサブメニュー８１が表示される。
【００４０】
使用者が右スイッチ３９を操作して「リモコン設定」を選択し、上スイッチ３６又は下スイッチ３７を操作して、サブメニュー８１から「０２ 表示・画面」を選択すると、表示制御部１２は、表示部２０の表示を、「表示・画面」のサブメニュー８２を表示した画面７１に切り替える。そして、使用者が右スイッチ３９を操作して「０１ 初期画面」を選択すると、表示制御部１２は、表示部２０の表示を、「初期画面切り替え」のサブメニュー８３が表示された画面７２に切り替える。
【００４１】
「初期画面切り替え」のサブメニュー８３では、使用者は、給湯、床暖房１、床暖房２、床暖房３、及び浴室暖房のいずれかを選択することができる。そして、初期画面設定部１３は、選択された対象（給湯、床暖房１、床暖房２、床暖房３、浴室暖房のいずれか）に対応する操作用画面５０〜５４（図４参照）を、表示部２０の初期画面として設定する。
【００４２】
例えば、給湯が選択されたときは、初期画面設定部１３は、給湯装置用画面５０を初期画面に設定する。また、初期画面設定部１３は、床暖房１が選択されたときは第１床暖房機用画面５１を初期画面に設定し、床暖房２が選択されたときは第２床暖房機用画面５２を初期画面に設定し、床暖房３が選択されたときは第３床暖房機用画面５３を初期画面に設定し、浴室暖房が選択されたときは浴室暖房機用画面５４を初期画面に設定する。
【００４３】
初期画面設定部１３は、給湯装置用画面５０、第１床暖房機用画面５１、第２床暖房機用画面５２、第３床暖房機用画面５３、及び浴室暖房機用画面５４のうちのどの画面が、初期画面として設定されているかを示す初期画面設定データを、ＥＥＰＲＯＭ１４に保持する。
【００４４】
そして、表示制御部１２は、表示２０を非表示状態から表示状態に切り替えるときに、ＥＥＰＲＯＭ１４に保持された初期画面設定データを参照し、初期画面として設定されている操作用画面（給湯装置用画面５０、第１床暖房機用画面５１、第２床暖房機用画面５２、第３床暖房機用画面５３、及び浴室暖房機用画面５４のうちのいずれか）を、表示部２０に表示する。
【００４５】
このように、使用者の選択操作に応じて、表示部２０の初期画面として表示する操作用画面を変更可能とすることによって、給湯リモコン１の使い勝手を向上させることができる。
【００４６】
例えば、冬季において第１床暖房機４の使用頻度が高いときには、第１床暖房機用画面５１を初期画面に設定しておくことにより、表示部２０が消灯状態（給湯リモコン１が待機状態、又は省電力状態）であるときに、使用者が給湯リモコン１を操作すると、表示部２０に初期画面として第１床暖房機用画面５１が表示される。そのため、使用者は、第１床暖房機用画面５１に切り替えるための操作を行うことなく、直ちに第１床暖房機４の運転開始等の操作を行うことができる。
【００４７】
また、夏季のように、第１床暖房機４、第２床暖房機５、及び第３床暖房機６を使用することがない時期には、給湯装置用画面５０を初期画面に設定することにより、使用者は、給湯温度の変更等を直ちに行うことができる。
【００４８】
なお、本実施形態においては、図４に示したように、表示制御部１２は、第１床暖房機用画面５１、第２床暖房機用画面５２、第３床暖房機用画面５３、及び浴室暖房機用画面５４の一部５５に給湯温度を表示したが、このような給湯温度の表示を行わない場合にも、本発明の効果を得ることができる。
【００４９】
また、本実施形態では、本発明の給湯装置以外の被操作装置として、第１床暖房機４、第２床暖房機５、第３床暖房機６、及び浴室暖房機７という４台の被制御装置を遠隔操作する例を示したが、給湯装置と給湯装置以外の少なくとも１台の被操作装置とを遠隔操作する給湯リモコンであれば、本発明を適用して本発明の効果を得ることができる。
【００５０】
また、本実施形態では、給湯リモコン１に備えられたＥＥＰＲＯＭ１４に、初期画面として設定されている操作用画面を示す初期画面設定データを保持したが、給湯装置２のコントローラ（図示しない）に備えられたＥＥＰＲＯＭ等の不揮発性メモリに初期画面設定データを保持し、給湯装置２と給湯リモコン１間の通信により、初期画面設定部１３が初期画面設定データを取得する構成としてもよい。また、ＥＥＰＲＯＭ等の不揮発性メモリに代えて、ＲＡＭ等の揮発性メモリを採用してもよい。
【符号の説明】
【００５１】
１…給湯リモコン、２…給湯装置、４…第１床暖房機（被操作装置）、５…第２床暖房機（被操作装置）、６…第３床暖房機（被操作装置）、７…浴室暖房機（被操作装置）、１０…コントローラ、１１…操作受付部、１２…表示制御部、１３…初期画面設定部、２０…表示部、５０…給湯装置用画面、５１…第１床暖房機用画面（被操作装置用画面）、５２…第２床暖房機用画面（被操作装置用画面）、５３…第３床暖房機用画面（被操作装置用画面）、５４…浴室暖房機用画面（被操作装置用画面）、５５…給湯温度表示。
【図１】
0006559498.tif 000002
【図２】
0006559498.tif 000003
【図３】
0006559498.tif 000004
【図４】
0006559498.tif 000005
【図５】
0006559498.tif 000006
【図６】
0006559498.tif 000007